(57)【要約】【課題】運転員の入力操作の負担を軽減できる電力系統監視制御システム，電力系統監視制御方法、およびプログラムを提供する。【解決手段】運転員が運転操作入力手段を用いて入力した運転操作情報を記憶部に記憶させておき、選択入力手段を用いて記憶部に記憶された運転操作情報を選択し、実行処理手段により実行させる。この結果、運転員が入力した運転操作情報の再利用が可能となり、運転員が操作の度に運転操作情報を入力する手間を省くことができる。【選択図】　　　図１
2004080889.tif 000002
【特許請求の範囲】
【請求項１】
電力系統を監視または制御するための運転操作情報を入力する運転操作入力手段と、
前記運転操作入力手段により入力された運転操作情報を記憶する記憶部と、
前記記憶部に記憶された運転操作情報を選択する選択情報を入力する選択入力手段と、
前記選択入力手段により入力された選択情報に基づいて、前記電力系統の監視または制御を実行する実行処理手段と、
を具備することを特徴とする電力系統監視制御システム。
【請求項２】
前記記憶部に記憶された運転操作情報を編集する編集処理手段をさらに具備する
ことを特徴とする請求項１記載の電力系統監視制御システム。
【請求項３】
前記記憶部への運転操作情報の記憶の開始を指令する記憶開始指令情報を入力する記憶開始指令入力手段と、
前記記憶部への運転操作情報の記憶の終了を指令する記憶終了指令情報を入力する記憶終了指令入力手段と、
をさらに具備すること特徴とする請求項１記載の電力系統監視制御システム。
【請求項４】
前記記憶部に記憶された運転操作情報を入出力する入出力装置
をさらに具備することを特徴とする請求項１記載の電力系統監視制御システム。
【請求項５】
前記電力系統監視制御システムが、前記記憶部に記憶された運転操作情報の内から実行する運転操作を決定する決定手段をさらに具備し、
前記実行処理手段が、前記決定手段により決定された運転操作を実行する
こと特徴とする請求項１記載の電力系統監視制御システム。
【請求項６】
前記電力系統監視制御システムが、
前記電力系統の監視または制御の実行の中断を指令ずる実行中断指令情報を入力する実行中断指令入力手段と、
前記電力系統の監視または制御の実行の再開を指令ずる実行再開指令情報を入力する実行再開指令入力手段と、をさらに具備し、
前記実行処理手段が、前記実行中断指令入力手段により入力された実行中断指令情報および前記実行再開指令入力手段により入力された実行再開指令情報に基づいて、前記電力系統の監視または制御の実行の中断および再開を行う
ことを特徴とする請求項１記載の電力系統監視制御システム。
【請求項７】
前記運転操作入力手段で入力された順序に従って、前記記憶部に記憶された運転操作情報の状態を戻すことを指令する戻し指令情報を入力する戻し指令入力手段と、
前記戻し指令入力手段により入力された戻し指令情報に基づいて、前記記憶部に記憶された運転操作情報の状態を戻す戻し実行手段と、
をさらに具備することを特徴とする請求項１記載の電力系統監視制御システム。
【請求項８】
前記電力系統監視制御システムが、前記実行処理手段により実行された運転操作を再度実行する再実行指令情報を入力する再実行指令入力手段、をさらに具備し、
前記再実行指令入力手段により入力された再実行指令情報に基づいて、前記実行処理手段が運転操作を再度実行する
ことを特徴とする請求項１記載の電力系統監視制御システム。
【請求項９】
前記記憶部に記憶された運転操作情報に基づいて、運転操作の手順を表す機器操作手順表のデータを作成する機器操作手順表作成処理手段、をさらに具備することを特徴とする請求項１記載の電力系統監視制御システム。
【請求項１０】
前記記憶部に記憶された運転操作情報に基づいて、運転操作の記録を表す帳票のデータを作成する帳票作成手段、
をさらに具備することを特徴とする請求項１記載の電力系統監視制御システム。
【請求項１１】
前記電力系統監視制御システムが、前記運転操作入力手段による運転操作情報の入力を開始したときの状況の情報を入手する状況情報入手手段をさらに具備し、
前記記憶部が、前記状況情報入手手段によって入手された状況情報を記憶することを特徴とする請求項１記載の電力系統監視制御システム。
【請求項１２】
電力系統を監視または制御するための運転操作情報を入力する入力ステップと、
前記入力装置により入力された運転操作情報を編集する編集ステップと、
前記編集ステップで編集された運転操作情報に基づき、前記電力系統の監視または制御を実行する実行ステップと、
を具備することを特徴とする電力系統監視制御方法。
【請求項１３】
コンピュータを請求項１乃至１１に記載の電力系統監視制御システムとして機能させるためのプログラム。
【請求項１４】
コンピュータに請求項１２に記載の電力系統監視制御方法を実行させるためのプログラム。
【発明の詳細な説明】
【０００１】
【発明の属する技術分野】
本発明は、電力系統を監視、制御する電力系統監視制御システム，電力系統監視制御方法、およびプログラムに関する。
【０００２】
【従来の技術】
電力系統を監視、制御する電力系統監視制御システムが用いられている。図３０に従来の電力系統監視制御システム２００の構成を示す。監視制御装置１１には入出力装置１４を介して電力系統１６内の運転操作を実施する操作対象機器１５の状態信号が入力される。入力される状態信号の例として変電所の遮断器（ＣＢ）および断路器（ＬＳ）の入／切状態や送電線の潮流値，電流値，電圧値が挙げられる。
これら入力される状態信号を基に電力系統の充停電状態の把握、又、潮流値から電力系統の負荷状態の監視を行う。又、監視制御装置１１での監視の結果、例えば送電線の事故による停電の発生が確認された場合、自動計算又は運転員の指示により、入出力装置１４を介して操作対象機器１５である遮断器の入／切操作等を実施し，事故による停電範囲の縮小を実現している。
【０００３】
この監視制御装置１１による監視結果の運転員への通知，又、運転員からの遮断器，断路器の操作要求の受付けを目的として，マンマシンインタフェース装置１２が設置されている。マンマシンインタフェース装置１２では、監視制御装置１１の監視結果を基に現在の系統状態の表示を行い、又、運転員からの操作要求に対応する制御信号を監視制御装置１１へ伝送している。
従来の電力系統監視制御システム２００では、マンマシンインタフェース装置１２での電力系統１６の情報表示およびその操作のための指示の入力はポインティングデバイスを用いて実施している。また，電力系統１６の運用の各種業務で必要とする数値や文字の入力はキーボードを用いて実施している。
【０００４】
【発明が解決しようとする課題】
近年の，電力系統の大規模化および系統運用の高度化，複雑化に伴い，マンマシンインタフェース装置でのポインティングデバイスによる各種指示の入力操作およびキーボードによる数値，文字等の入力操作が増大し、かつ複雑になってきた。
このため、入力操作が運転員に大きな負担となっていた。運転員の経験やスキルに関係無く、決められた一連の入力操作を行わなければならない。また、入力操作が複雑なため誤入力をしやすく、入力作業の効率の低下を招くおそれがある。
本発明は上記課題を解決するためになされたものであり，運転員の入力操作の負担を軽減できる電力系統監視制御システム，電力系統監視制御方法、およびプログラムを提供することを目的としている。
【０００５】
【課題を解決するための手段】
Ａ．上記目的を達成するために本発明に係わる電力系統監視制御システムは、電力系統を監視または制御するための運転操作情報を入力する運転操作入力手段と、前記運転操作入力手段により入力された運転操作情報を記憶する記憶部と、前記記憶部に記憶された運転操作情報を選択する選択情報を入力する選択入力手段と、前記選択入力手段により入力された選択情報に基づいて、前記電力系統の監視または制御を実行する実行処理手段と、を具備することを特徴とする。
【０００６】
運転員が運転操作入力手段を用いて入力した運転操作情報を記憶部に記憶させておき、選択入力手段を用いて記憶部に記憶された運転操作情報を選択し、実行処理手段により実行させることができる。この結果、運転員が入力した運転操作情報の再利用が可能となり、運転員が操作の度に運転操作情報を入力する手間を省くことができる。
ここでいう運転操作情報は、運転操作に直接用いられる情報（例えば、バイナリデータ）運転操作に間接的に用いられる情報（例えば、運転操作の内容を運転者に示すための情報）のいずれでもよく、この双方を含んでも差し支えない。即ち、これに対応して運転操作が行われれば、運転操作情報として差し支えない。
なお、別個の運転操作が複数入力された場合には、ＩＤ番号等の識別情報を用いて運転操作を互いに識別し、この識別情報を利用して運転操作を選択することができる。
【０００７】
（１）ここで、前記電力系統監視制御システムが、前記記憶部に記憶された運転操作情報を編集する編集処理手段をさらに具備してもよい。
入力された運転操作情報を編集して適宜に変更して実行できる。この編集は識別情報を用いて、運転操作情報を選択して行うことができる。なお、編集した運転操作情報に再度の編集を行っても差し支えない。
【０００８】
（２）電力系統監視制御システムが、前記記憶部への運転操作情報の記憶の開始を指令する記憶開始指令情報を入力する記憶開始指令入力手段と、前記記憶部への運転操作情報の記憶の終了を指令する記憶終了指令情報を入力する記憶終了指令入力手段と、をさらに具備してもよい。
記憶の開始から終了に至るまでに入力された一連の運転操作情報を記憶部に入力して、この一連の運転操作情報を連続して実行することができる。
【０００９】
（３）電力系統監視制御システムが、前記記憶部に記憶された運転操作情報を入出力する入出力装置をさらに具備してもよい。
他の装置と運転操作情報のやり取りを行い、電力系統監視制御システムで入力された運転操作情報を他の装置で実行させたり、他の装置で入力された運転操作情報を電力系統監視制御システムで実行したりすることができる。
なお、この入出力装置は、ネットワークを介して他の装置との通信を行う通信手段、あるいは記録媒体への書き込み読み取りを行う書き込み読み出し手段のいずれから構成されても差し支えない。
【００１０】
（４）前記電力系統監視制御システムが、前記記憶部に記憶された運転操作情報の内から実行する運転操作を決定する決定手段をさらに具備し、前記実行処理手段が、前記決定手段により決定された運転操作を実行してもよい。
実行する運転操作情報が自動的に決定されるので、運転員の運転操作を補助することができる。例えば、ほとんど毎回同じ運転操作をする箇所に対しては、電力系統監視制御システムがその運転操作を判断し、自動的に実行することができる。単純な運転操作に関して、運転員による運転操作の省略が可能となる。このため運転員の作業量を軽減することができ、ひいては誤作業の誘発も抑えることができる
【００１１】
（５）電力系統監視制御システムが、前記電力系統の監視または制御の実行の中断を指令ずる実行中断指令情報を入力する実行中断指令入力手段と、前記電力系統の監視または制御の実行の再開を指令ずる実行再開指令情報を入力する実行再開指令入力手段と、をさらに具備し、前記実行処理手段が、前記実行中断指令入力手段により入力された実行中断指令情報および前記実行再開指令入力手段により入力された実行再開指令情報に基づいて、前記電力系統の監視または制御の実行の中断および再開を行ってもよい。
自動化された作業を適宜に中断および再開することができるので、電力系統の監視、制御を運転員の判断に応じて柔軟に行うことができる。
【００１２】
（６）電力系統監視制御システムが、前記運転操作入力手段で入力された順序に従って、前記記憶部に記憶された運転操作情報の状態を戻すことを指令する戻し指令情報を入力する戻し指令入力手段と、前記戻し指令入力手段により入力された戻し指令情報に基づいて、前記記憶部に記憶された運転操作情報の状態を戻す戻し実行手段と、をさらに具備してもよい。
記憶部に記憶された運転操作情報を適宜に前の状態に戻すことができる。この結果、運転員の誤入力を容易に訂正することができる。
【００１３】
（７）電力系統監視制御システムが、前記実行処理手段により実行された運転操作を再度実行する再実行指令情報を入力する再実行指令入力手段、をさらに具備し、前記再実行指令入力手段により入力された再実行指令情報に基づいて、前記実行処理手段が運転操作を再度実行してもよい。
例えば、実行された処理の履歴を取っておき、この履歴を参照して過去に実行された操作内容を任意に選択して再実行することができる。同一の処理を繰り返すことが容易に行えるため、運転員による運転操作の労力が軽減される。
【００１４】
（８）電力系統監視制御システムが、前記記憶部に記憶された運転操作情報に基づいて、運転操作の手順を表す機器操作手順表のデータを作成する機器操作手順表作成処理手段をさらに具備してもよい。
実際に実行される運転操作情報を用いて機器操作手順表を作成できるので運転操作の信頼性が向上する。
【００１５】
（９）電力系統監視制御システムが，前記記憶部に記憶された運転操作情報に基づいて、運転操作の記録を表す帳票のデータを作成する帳票作成手段、をさらに具備してもよい。
例えば、運転操作データから一日分のデータを抽出し、そのうち帳票に記載すべきあらかじめ決められたデータだけを抽出して、帳票のデータを作成できる。
なお、作成された帳票のデータに基づいて、帳票を印刷してもよい。
【００１６】
（１０）前記電力系統監視制御システムが、前記入力装置によって運転操作情報の入力を開始したときの状況の情報を入手する状況情報入手手段をさらに具備し、前記記憶部が、前記状況情報入手手段によって入手された状況情報を運転操作情報とともに記憶してもよい。
状況情報を運転員が参照できるため、概要を把握しやすく、異常時にも適切な判断が容易となる。状況情報の一例として、天候が挙げられる。
【００１７】
Ｂ．本発明に係る電力系統監視制御方法は、電力系統を監視または制御するための運転操作情報を入力する入力ステップと、前記入力装置により入力された運転操作情報を編集する編集ステップと、前記編集ステップで編集された運転操作情報に基づき、前記電力系統の監視または制御を実行する実行ステップと、を具備することを特徴とする。
運転員が運転操作入力手段を用いて入力した運転操作情報を編集して実行することができる。
【００１８】
【発明の実施の形態】
（第１実施形態）
以下、本発明の実施の形態を図面を参照して詳細に説明する。
図１は本発明の第１実施形態に係る電力系統監視制御システム１００の機能構成を示すブロック図である。この電力系統監視制御システム１００はマンマシンインタフェース装置１０１、入力装置１０２、電子計算機（コンピュータ）１１４、伝送装置１１５とそれに接続される電力系統１１６から構成されている。
【００１９】
マンマシンインタフェース装置１０１は運転員と電子計算機１１４の仲立ちをする一種の端末装置（コンピュータ）であり、入力装置１０２の他に図示しない出力装置（例えば、ＣＲＴ等の表示装置）を備え、運転員による情報の確認および入力装置１０２による情報の入力を可能とする。
入力装置１０２は、例えばマウス、キーボード等の情報入力用の機器であり、本発明における運転操作入力手段、選択入力手段として機能する。
【００２０】
電子計算機１１４は、電力系統１１６を監視、制御する電力系統制御装置として機能する一種のコンピュータである。また、電子計算機１１４は、記憶処理手段１０４，運転操作データ記憶領域１０５，参照処理手段１０６，編集処理手段１０８，編集データ記憶処理手段１１０，編集データ記憶領域１１１，表示処理手段１１２，実行処理手段１１３を備え、運転操作データ１０３，参照データ１０７，編集データ１０９を処理する。
【００２１】
電子計算機１１４は、図示しないＣＰＵ（中央演算装置）、ハードディスク、半導体メモリー等の記憶装置から構成され、記憶装置に記憶されたプログラムによって動作する。即ち、記憶処理手段１０４，参照処理手段１０６，編集処理手段１０８，編集データ記憶処理手段１１０，表示処理手段１１２，実行処理手段１１３は、ＣＰＵ等がプログラムに従って動作する結果として構成される手段である。
また、運転操作データ記憶領域１０５，編集データ記憶領域１１１は、記憶装置上にそれぞれ確保されたデータ記憶のための記憶領域である。
【００２２】
伝送装置１１５は、電子計算機１１４と電力系統１１６の情報のやり取りを仲介する装置である。
電力系統１１６は、例えば発電所、変電所、送電線等の電力を発生，輸送，分配するシステムをいう。なお、電力系統１１６には、伝送装置１１７を介して他の電子計算機１１８が接続されていてもよい。
【００２３】
運転操作データ１０３は、運転員がマンマシンインタフェース装置１０１から入力した一連の運転操作内容を表すデータである。
運転員がマンマシンインタフェース装置１０１の入力装置１０２への入力した運転操作の実体的な内容はこの入力装置１０２によって入力された情報に基づくバイナリーデータ（電力系統１１６の監視、制御に直接的に用いられる２値のデータ）である。即ち、運転操作データ１０３は、電力系統１１６の制御に直接用いられるものではなく、このバイナリデータの表す運転操作内容を運転員に対して理解容易にするためのインデックスといってもよい。
【００２４】
図２（Ａ）〜（Ｃ）は運転操作データ１０３のデータ構造の一例を示す図である。
図２（Ａ）は運転操作データ１０３のデータの項目を表した図である。運転操作データ１０３のデータの項目には、運転操作を実施した時間の範囲を表す「実施時刻」、運転操作を実施した操作画面を識別するための「操作画面Ｎｏ（番号）」、運転操作の対象となるデータまたは機器を表す「操作対象」、運転操作の内容を表す「操作内容」、運転操作の具体的内容を表すバイナリーデータの保存先のアドレスを表す「バイナリデータ保存アドレス」がある。
【００２５】
図２（Ｂ）は、「ＩＤ番号」が付加された状態の運転操作データ１０３のデータ項目を表した図である。ＩＤ番号は運転操作データ１０３を互いに識別するための識別情報であり、このＩＤ番号によって運転操作データ１０３が管理される。
図２（Ｃ）は、運転操作データ１０３の具体例を表した図である。ＩＤ番号１２、１３，１４によって、それぞれの運転操作データ１０３が識別され、その運転操作を実施した時刻等が表されている。
図２（Ｄ）は、運転操作データ１０３の「運転操作Ｎｏ」とその画面の内容を表す「画面名称」の対応を表す図である。「運転操作Ｎｏ」は単なる数字であり運転員にとって判りにくい。このために、マンマシンインタフェース装置１０１には図２（Ｄ）に対応する情報を保持する変換テーブル（図示せず）が備えられ、ため、必要に応じ「運転操作Ｎｏ」を「画面名称」に変換して出力（例えば、表示）する。
【００２６】
記憶処理手段１０４は、運転操作データ１０３を処理し、運転操作データ記憶領域１０５に記憶させる処理手段である。
参照処理手段１０６は、入力装置１０２に入力された運転操作データ１０３の参照要求（表示要求、あるいは編集要求）に対応して、運転操作データ記憶領域１０５から運転操作データ１０３を参照データ１０７として適宜に抽出し、編集処理手段１０８や表示処理手段１１２に引き渡す処理手段である。
【００２７】
編集処理手段１０８は、参照データ１０７から、マンマシンインタフェース装置１０１と入力装置１０２を用いて取得した編集条件に基づき、編集データ１０９を作成する処理手段である。
また、編集データ記憶処理手段１１０は編集処理手段１０８によって作成された編集データ１０９を読み込んで、編集データ記憶領域１１１に記憶させる処理手段である。
【００２８】
表示処理手段１１２は、参照データ１０７を取り出し、操作日付と操作時刻と操作内容の情報をマンマシンインタフェース装置１０１に表示する処理手段である。
実行処理手段１１３は、マンマシンインタフェース装置１０１の入力装置１０２による運転操作の実行要求の入力に基づき、編集データ記憶領域１１１に登録された編集データ１０９に対応する運転操作手順を実行する処理手段である。
【００２９】
（電力系統監視制御システム１００の動作手順）
電力系統監視制御システム１００は、記憶処理手段１０４による運転操作の記憶処理、参照処理手段１０６による運転操作の参照処理，編集処理手段１０８による運転操作の編集処理，編集データ記憶処理手段１１０による編集後の運転操作の記憶処理，表示処理手段１１２による運転操作の表示処理、実行処理手段１１３による運転操作の実行処理を行うことができる。以下、これらの処理の詳細を説明する。
【００３０】
Ａ．記憶処理手段１０４による記憶処理
図３は記憶処理手段１０４による処理手順の一例を表すフロー図である。以下、図３に従い順に説明する。
記憶処理手段１０４による処理に先立ち、運転員が入力装置１０２により一連の運転操作のための入力を行う。この入力に伴い、バイナリデータが生成される。
以下に示す記憶処理手段１０４による処理はこの運転操作に基づいて生成されたバイナリデータに対応する運転操作データ１０３を生成するためのものである。
【００３１】
まず、記憶処理手段１０４は、運転操作データ１０３にＩＤ番号を付加し、運転操作データ記憶領域１０５にレコードを追加し、追加したレコードにＩＤ番号を保存する（ステップＳ１０１）。
次に、記憶処理手段１０４は、運転操作が実施された時刻を、ステップＳ１０１で追加されたレコードに保存する（ステップＳ１０１Ａ）。さらに、運転操作が行われた時、マンマシンインタフェース装置１０１に表示されていた操作画面を識別する操作画面ＮｏをステップＳ１０１で追加されたレコードに保存する（ステップＳ１０１Ｂ）。
【００３２】
そして、記憶処理手段１０４は、運転操作が行われていた時、マンマシンインタフェース装置１０１に表示されていた操作対象をステップＳ１０１で追加されたレコードに保存し（ステップＳ１０１Ｃ）、運転操作が行われた時、マンマシンインタフェース装置１０１から操作された画面中の操作対象に行った操作内容をステップＳ１０１で追加されたレコードに保存する（ステップＳ１０１Ｄ）。
記憶処理手段１０４は、運転操作が行われた時、マンマシンインタフェース装置１０１から操作された内容に関連する各種バイナリデータと運転操作直前に定周期で保存していた同各種バイナリデータのデータアドレスを、ステップＳ１０１で追加されたレコードに保存する（ステップＳ１０１Ｅ）。
【００３３】
Ｂ．参照処理手段１０６による参照処理
マンマシンインタフェース装置１０１から、保存してある運転操作の表示要求がきたら、参照処理手段１０６は、運転操作データ記憶領域１０５から表示対象のデータを取り出し、参照データ１０７に保存する。
図４は参照処理手段１０６による処理手順の一例を表すフロー図である。
ここでは、マンマシンインタフェース装置１０１から、実行した運転操作を選択するために、運転操作データ記憶領域１０５の全件データの表示要求を受け付けた場合を考える（ステップＳ１０２）。
参照処理手段１０６は、運転操作データ記憶領域１０５のデータを参照データ１０７として保存する（ステップＳ１０３）。
【００３４】
Ｃ．編集処理手段１０８による編集処理および編集データ記憶処理手段１１０による編集後の記憶処理、表示処理手段１１２による表示処理
図５は編集処理手段１０８、編集データ記憶処理手段１１０、表示処理手段１１２による処理手順の一例を表すフロー図である。以下、図５に基づき、編集処理手段１０８等による処理手順の詳細を説明する。
編集に先立って、操作を開始するＩＤ番号（操作開始ＩＤ）と操作を終了するＩＤ番号（操作終了ＩＤ）をマンマシンインタフェース装置１０１の入力装置１０２から入力する（ステップＳ１０４）。この入力は編集する参照データ１０７の範囲を特定するためのものである。単一の参照データ１０７のみを編集する場合には、操作開始ＩＤと操作終了ＩＤに同一のＩＤ番号を入力すればよい。このときには、このＩＤ番号で表される参照データ１０７のみが編集対象となる。
編集処理手段１０８によって、参照データ１０７の編集が行われ編集データ１０９となる。このとき、いうまでもなく、バイナリデータも編集されているものとする。
この編集データ１０９は、編集データ記憶処理手段１１０によって編集データ記憶領域１１１に登録Ｎｏを付加して保存され、さらに表示処理手段１１２を通じてマンマシンインタフェース装置１０１に表示される（ステップＳ１０５）。
【００３５】
Ｄ．実行処理手段１１３による実行処理
図６は実行処理手段１１３による処理手順の一例を表すフロー図である。
まず、マンマシンインタフェース装置１０１の入力装置１０２から運転操作の実行要求のための登録Ｎｏの入力を受け付ける（ステップＳ１０６）。
入力された登録Ｎｏに基づき、編集データ記憶領域１１１の該当登録Ｎｏの編集データ１０９を取り出す（ステップＳ１０７）。
さらに、編集データ１０９にデータを登録し、この運転操作内容を実行処理手段１１３で実行する（ステップＳ１０８）。即ち、実行処理手段１１３は、この編集データ１０９に対応するバイナリデータを伝送装置１１５を介して電力系統１１６に送るべく指示を行う。この結果、電力系統１１６がバイナリデータに対応して制御される。
【００３６】
（運転操作の入力の詳細）
図３のステップＳ１０１に先立つ運転操作の入力の詳細を説明する。
図７は、運転操作の入力の手順の一例を表すフロー図である。
マンマシンインタフェース装置１０１から運転員による任意の登録データの採取開始要求を受け付ける（ステップＳ２０１）。
ステップＳ２０１の入力以降における運転員の運転操作内容を編集データとして登録Ｎｏを付加し、記憶領域に格納する（ステップＳ２０２）。
その後、運転員の登録終了通知を受け付ける（ステップＳ２０３）。
【００３７】
上記のように、登録開始の入力から登録終了の入力までの間に入力装置１０２によって入力された一連の運転操作内容に基づくバイナリデータの生成、およびその後の運転操作データ１０３の生成が行われる。
以上のようにして生成されたバイナリデータと運転操作データ１０３は、既述のように、編集処理手段１０８により編集され、編集データ記憶処理手段１１０により編集データとして操作手順が保存される（ステップＳ２０４）。さらに実行処理手段１１３で操作手順の実行が行なわれる。
【００３８】
（編集操作の詳細）
図８は、ステップＳ１０４、Ｓ１０５で示した編集操作の詳細な手順の一例を表したフロー図である。
マンマシンインタフェース装置１０１から運転員によって変更された編集データの変更要求を受け付ける（ステップＳ３０１）。そして、ステップＳ３０１で変更されたデータも含め、実行可能な運転操作手順を表示処理手段１１２によって、マンマシンインタフェース装置１０１に表示し、選択を受け付ける（ステップＳ３０２）。選択された運転操作手順を編集データ記憶処理手段１１０で再登録し、必要に応じて実行処理手段１１３で登録データを実行する（ステップＳ３０３）。
【００３９】
（電子計算機１１４，１１８間での運転操作データ１０３の利用）
電子計算機１１４で作成された運転操作データ１０３や編集データ１０９を電子計算機１１８で利用したり、その逆に電子計算機１１８で作成された運転操作データ１０３や編集データ１０９を電子計算機１１４で利用したりすることもできる。
【００４０】
図９は、電子計算機１１４で作成された編集データ１０９を他の電子計算機１１８で利用する場合の手順の一例を表すフロー図である。
マンマシンインタフェース装置１０１から運転員により、登録された編集データ１０９を電子計算機１１８へコピーする要求を受け付ける（ステップＳ４０１）。この要求に基づき、登録されている運転操作手順の編集データ１０９を電子計算機１１８へコピーする（ステップＳ４０２）。即ち、電子計算機１１４で作成された編集データ１０９は伝送装置１１５、１１７を介して、電子計算機１１８に送信する。電子計算機１１８は送信された編集データ１０９を受信し、その編集データ記憶領域に格納される。電子計算機１１８にコピーされた編集データは必要に応じてその実行処理手段で実行される。
【００４１】
図１０は、他の電子計算機１１８で作成された編集データ１０９を電子計算機１１４で利用する場合の手順の一例を表すフロー図である。
マンマシンインタフェース装置１０１が電子計算機１１８での運転操作手順たる編集データの電子計算機１１４へのコピー要求を運転員から受け付ける（ステップＳ５０１）。
電子計算機１１４は電子計算機１１８での操作手順たる登録データをコピーする（ステップＳ５０２）。即ち、電子計算機１１４は伝送装置１１５，１１７を介して、電子計算機１１８に対して登録データの送信要求を送信し、この送信要求に対応する電子計算機１１８からの登録データの送信、電子計算機１１４による登録データの受信および運転操作データ記憶領域１０５への格納が行われる。
その後、編集処理手段１０８、実行処理手段１１３によって、コピーされた登録データの参照、編集、実行の処理を行う（ステップＳ５０３）。
【００４２】
（運転操作補助モードの実行）
実行処理手段１１３は、編集データ１０９を単に実行するに留まらず、編集データ１０９に基づき運転員の操作を補助する運転操作補助モードを実行することもできる。
【００４３】
図１１は、実行処理手段１１３による運転操作補助モードの実行手順の一例を表すフロー図である。
マンマシンインタフェース装置１０１が操作補助モード開始要求を受け付ける（ステップＳ６０１）。即ち、運転員が入力装置１０２を用いて操作補助モードの開始を要求する操作補助モード開始要求情報を入力する。
操作補助モード開始要求を受け付けられると、運転員の直前の操作内容が取り出される（ステップＳ６０２）。
ステップＳ６０１Ａで取り出した運転操作内容が、操作補助モード適用箇所であるか否かを判定する（ステップＳ６０３）。ステップＳ６０３での判断がＮｏならステップＳ６０２の処理が繰り返される。
ステップＳ６０２での判断の結果がＹＥＳであれば、参照処理手段１０６によって運転員の直前の運転操作に関係する運転操作（編集データ１０９）が運転操作データ記憶領域１０５から検索、抽出される（ステップＳ６０４）。
【００４４】
検索された編集データ１０９から今回行うべき操作内容を判断、決定する（ステップＳ６０５）。この判断は、大まかにいえば、運転操作運転員により直前に実施された運転操作と同様の操作を探し、その操作の次に実施された運転操作内容を運転操作データ記憶領域１０５から取り出し、取り出されたデータのうち、最新のものを今回実施すべき運転操作として求めるものである。なお、この詳細は後述する。
運転員が操作することなく、ステップＳ６０５で求めた運転操作が自動的に行われる（ステップＳ６０６）。
【００４５】
以上のステップＳ６０１〜Ｓ６０６までの処理は運転員がマンマシンインタフェース装置１０１を通じて操作補助モードの終了通知を行うまで連続して実行される（ステップＳ６０７）。
この終了通知が要求されたときは、運転員が通常の運転操作を行い、操作補助モード適用箇所にきたときでもステップＳ６０４〜Ｓ６０６の処理は実行されない。
【００４６】
図１２は、行うべき操作内容を決定するステップＳ６０５の詳細な手順の一例を表すフロー図である。
ステップＳ６０４で求めた運転操作内容のうち、未チェックのものがあるか否かが判断される（ステップＳ６１１）。即ち、未チェックのものがなくなるまで以下の処理が継続して行われる。
【００４７】
次に、ステップＳ６０４で求めた対象操作内容のうち最新のものを１件取り出す（ステップＳ６１２）。また、運転員により実施された直前の運転操作内容を取り出す（ステップＳ６１３）。
ステップＳ６１２とステップＳ６１３で得られた操作内容が操作画面Ｎｏ、操作対象、操作内容とも一致しているかが判定される（ステップＳ６１４）。ステップＳ６１３の判断がＮＯであればステップＳ６１１に戻って処理が繰り返される。
【００４８】
ステップＳ６１４の判断がＹＥＳであれば、ステップＳ６１２で得られた操作内容の次の手順を取り出す（ステップＳ６１５）。
ステップＳ６１５で取り出した運転操作が電力系統１１６に影響を与えないかが判定される（ステップＳ６１６）。「操作内容」が「制御」等のように電力系統１１６の動作に影響を与えるものを自動実行の対象から除外して、電力系統１１６の安定性を確保するためである。ステップＳ６１６の判断がＮＯであればステップＳ６１１に戻って処理が繰り返される。
ステップＳ６１６の判断がＹＥＳであれば、ステップＳ６１５で求めた運転操作を求める内容としてセットする（ステップＳ６１７）。
以上のようにして、ステップＳ６０５における運転操作内容の決定が行われる。
【００４９】
（実行の中断および再開）
実行処理手段１１３が編集データ１０９を実行中においてその実行の中断および中断した実行の再開を行うことができる。
図１３は、編集データ１０９の実行を中断および再開する手順を表すフロー図である。
マンマシンインタフェース装置１０１からの実行中断要求が受け付けられると（ステップＳ７０３）、この実行中断要求に対応して、実行中の操作が終了した時点で以降の操作の実行が中断される（ステップＳ７０４）。
その後に、マンマシンインタフェース装置１０１からの実行再開要求を受け付けると（ステップＳ７０２）、実行処理手段１１３が登録データから中断していた運転操作の次の操作内容を実行する（ステップＳ７０２）。この登録データの実行は再度の実行中断要求が行われるまで実行される。
【００５０】
（マンマシンインタフェース装置１０１の内部構成例１）
図１４は、マンマシンインタフェース装置１０１の内部構成の一例を表すブロック図である。
ここでは、マンマシンインタフェース装置１０１が運転員に対して電力系統１１６の模擬的な操作を可能とする操作訓練を含めた業務処理機能を有している。
マンマシンインタフェース装置１０１は、入力装置１、出力装置２，入力手段３，表示手段４，表示編集処理手段５，操作内容記憶処理手段６，業務処理手段９、戻し実行処理手段２０を備え、操作内容データ７の処理等を行う。
【００５１】
入力装置１は、ポインティングデバイス（マウス等）、キーボードおよび卓釦等から構成され、運転員からの入力操作（マウスによるクリック、キーボードからの数値／文字および卓釦の押下）が入力される装置であり、図１の入力装置１０２と実質的に同一である。
出力装置２は、運転員に情報を通知するための例えばＣＲＴ等の表示装置である。以下、判り易さのため、出力装置２をＣＲＴと記す。
入力手段３は入力装置１による運転員からの入力操作を受け付け、操作内容記憶処理手段６および業務処理手段９にその旨を通知する装置である。
【００５２】
業務処理手段９は通知された入力操作に従い業務処理を実施し，その業務処理の結果を表示編集処理手段５に表示要求する手段である。
表示編集処理手段５は業務処理の結果を表示データに編集し，表示手段４を介してＣＲＴに表示させる手段である。
操作内容記憶処理手段６は入力手段３から通知の入力操作を逐次，操作内容データ７として保存する手段である。
操作内容表示編集処理手段８は操作内容を操作内容データ７から取込み，表示データに編集し，表示手段４を介して，ＣＲＴに操作内容の一覧を表示させる手段である。
【００５３】
戻し実行処理手段２０は、入力装置１から操作内容記憶処理手段６を経由して送られた操作戻し要求に対応して、操作内容データ７の操作内容から戻ることが要求された入力操作を抽出して業務処理手段９に通知する手段である。
【００５４】
操作内容データ７は、入力装置１から電力系統１１６の操作のために入力された情報である。
図１５に操作内容データ７の具体例を示す。本図に示すように操作内容データ７は、業務名，入力装置名，入力情報から成るリストとして表される。入力情報は、入力装置１がマウスの場合にはクリックされたボタンおよびシンボルで、入力装置１がキーボードの場合はキー入力した数値や文字，卓釦の場合は釦ＮＯである。
【００５５】
以下に業務処理手段９が操作訓練の業務処理を実行する場合を例として、マンマシンインタフェース装置１０１の動作手順を説明する。
操作訓練は、既述のようにマンマシンインタフェース装置１０１が運転員による電力系統１１６の模擬的な操作を可能とするものである。出力装置２に電力系統１１６の状態が模擬的に表示され、運転員が入力装置１を用いて電力系統１１６を操作するための入力を行うことで、この入力に対応して出力装置２に表示された電力系統１１６の状態が変化する。
このとき、入力装置１に入力された運転操作の情報は電力系統１１６には送られない。入力された運転操作の情報に基づいて、電力系統１１６に生じると考えられる状態変化が算出され、算出された電力系統１１６の状態変化が出力装置２に出力される。
このように、マンマシンインタフェース装置１０１によって電力系統１１６をシミュレートし、運転員の訓練に利用することができる。
【００５６】
操作訓練を行う場合にはＣＲＴに表示するための電力系統１１６の状態の画面（以下、電力系統状態という）を作成する必要がある。以下に業務処理手段９が操作訓練のための電力系統状態表示を作成する場合を例として、マンマシンインタフェース装置１０１の動作手順を説明する。
電力系統状態はＣＲＴに表示した電力系統１１６の系統図上の遮断器や断路器を入／切させて作成する。具体的には複数の遮断器および断路器の機器シンボルを連続的にマウスでクリックし、入／切状態を反転表示させながら電力系統状態を作成することになる。
【００５７】
電力系統状態は、入力装置１からの連続した入力操作により作成される。例えば、複数の遮断器および断路器の機器シンボルを連続的にマウスでクリックすることで，入／切状態を反転表示させる。入力装置１からの連続した入力操作は入力手段３を介して，操作内容記憶処理手段６と業務処理手段９に通知される。
業務処理手段９は通知された入力操作により当該機器シンボルの状態を反転させ、表示編集処理手段５，表示手段４を介して、ＣＲＴの機器シンボルの入／切状態の反転表示を行う。
操作内容記憶処理手段６は入力手段３から通知された入力操作を逐次，操作内容データ７として保存する。
【００５８】
ここで、任意の入力操作の状態まで戻る必要が発生した場合、系統図上の操作内容の表示ボタンをマウスでクリックすることで任意の入力操作の状態まで戻ることが出来る。以下に、この戻り操作の詳細につき説明する。
【００５９】
入力手段３からの入力操作の通知を操作内容記憶処理手段６が受け取る。操作内容記憶処理手段６が、業務名が操作訓練，入力装置名がマウス，入力情報が操作内容の表示ボタンと判断した場合，操作内容表示編集処理手段８に操作内容の表示を要求する。
操作内容表示編集処理手段８は操作内容記憶処理手段６からの操作内容の表示要求に該当する操作内容（当該業務名の操作内容をすべて）を操作内容データ７から取込み，表示データに編集し，表示手段４を介して，ＣＲＴに操作内容の一覧を表示させる。
運転員は、ＣＲＴに表示された操作内容の一覧から戻りたい任意の入力操作をマウスでクリックし、指示する。
【００６０】
操作内容記憶処理手段６が、入力手段３からの入力操作の通知で業務名が操作訓練，入力装置名がマウス，入力情報が入力操作ＮＯと判断した場合，戻し実行処理手段２０に入力操作の戻しを要求する。
戻し実行処理手段２０は、操作内容記憶処理手段６からの入力操作までの戻し要求に該当する操作内容を操作内容データ７から取込み、一入力操作単位に要求の入力操作まで業務処理手段９に通知する。
業務処理手段９は通知された一入力操作単位に当該機器シンボルの状態を反転させ、表示編集処理手段５，表示手段４を介して、ＣＲＴの機器シンボルの入／切状態の反転表示を行う。
以上のようにして、指示した入力操作まで戻ることが出来る。
【００６１】
（マンマシンインタフェース装置１０１の内部構成例２）
図１６は、マンマシンインタフェース装置１０１の内部構成の一例を表すブロック図である。ここでは、マンマシンインタフェース装置１０１Ａが、再実行する入力操作を操作内容データ７から抽出し、業務処理手段９に通知する再実行処理抽出手段２１を有している。なお、図１５と同一の機能部分については同一符号を付して説明を省略する。
【００６２】
業務処理手段９が行う業務が操作訓練の場合，対象とする電力系統１１６での事故を模擬的に発生させる必要がある。ＣＲＴに表示した系統図上でトリップＲｙの動作および遮断器のトリップ動作を発生させ，電力系統１１６での事故を模擬表示する。具体的には複数のＲｙおよび遮断器の機器シンボルを連続的にマウスでクリックしながら、事故が発生した状態を模擬表示する。
【００６３】
入力装置１からの連続した入力操作（マウスの機器シンボルのクリック）は入力手段３を介して，操作内容記憶処理手段６と業務処理手段９に通知される。業務処理手段９は通知された入力操作により事故の発生を模擬し，表示編集処理手段５，表示手段４を介して、ＣＲＴの機器シンボルの状態を表示させ，事故の発生を模擬表示する。操作内容記憶処理手段６は入力手段３から通知された入力操作を逐次，操作内容データ７として保存する。
【００６４】
ここで、操作訓練の過程で同一の事故の模擬を行う場合、系統図上の操作内容の表示ボタンをマウスでクリックすることで同一の事故の発生を模擬させることが出来る。以下にこの処理の詳細を説明する。
【００６５】
操作内容記憶処理手段６が入力手段３からの入力操作の通知で業務名が操作訓練，入力装置名がマウス，入力情報が操作内容の表示ボタンと判断した場合，操作内容表示編集処理手段８に操作内容の表示を要求する。
操作内容表示編集処理手段８は操作内容記憶処理手段６からの操作内容の表示要求に該当する操作内容（当該業務名の操作内容をすべて）を操作内容データ７から取込み，表示データに編集し，表示手段４を介して，ＣＲＴに操作内容の一覧を表示する。
運転員は、ＣＲＴに表示した操作内容の一覧で事故の発生の入力操作をマウスでクリックし、指示する。
【００６６】
操作内容記憶処理手段６において入力手段３からの入力操作の通知で業務名が操作訓練，入力装置名がマウス，入力情報が入力操作ＮＯと判断した場合，再実行処理抽出手段２１に入力操作の再実行を要求する。
再実行処理抽出手段２１は前記操作内容記憶処理手段６からの入力操作からの再実行要求に該当する操作内容を操作内容データ７から取込み、一入力操作単位に要求の入力操作まで業務処理手段９に通知する。
業務処理手段９は通知された一入力操作単位に当該機器シンボルの状態を反転させ、表示編集処理手段５，表示手段４を介して、ＣＲＴの機器シンボルの状態を表示させ，同一事故の発生を模擬表示することが出来る。
【００６７】
（マンマシンインタフェース装置１０１の内部構成例３）
図１７は、マンマシンインタフェース装置１０１の内部構成の一例を表すブロック図である。ここでは、マンマシンインタフェース装置１０１Ｂが、操作手順表に対応する操作内容を操作内容データ７から抽出し、業務処理手段９に通知する操作手順表作成処理手段２２を有している。なお、図１５と同一の機能部分については同一符号を付して説明を省略する。
【００６８】
業務処理手段９が行う業務内容が平常時系統操作の場合に，電力系統での設備（送電線，変圧器，母線等）の停止操作や復旧操作や設備に関連する一連の遮断器，断路器，切替ＳＷ等の入／切操作の手順表を作成しておくと運転員の便宜となる。
通常，電力系統１１６での設備の停止操作や復旧操作は予め作成された手順表に従い，一機器単位に入／切操作が自動的に行われる。
但し，電力系統１１６での設備の停止操作や復旧操作は対象とする機器全てを運転員の手動での入／切操作も可能である。具体的にはＣＲＴに表示している系統図上の機器シンボルをマウスでクリックし，卓の入／切釦を押下しながら対象とする機器を一機器単位に入／切操作を行う。
【００６９】
入力装置１からの機器シンボルのクリックや卓の入／切釦の押下の入力操作は入力手段３を介して，操作内容記憶処理手段６と業務処理手段９に通知される。
業務処理手段９は通知された入力操作により機器の選択（選択信号の送出）および入／切操作（制御信号の送出）を実施し，操作結果を表示編集処理手段５，表示手段４を介して、ＣＲＴの機器シンボルに表示する。
操作内容記憶処理手段６は入力手段３から通知された入力操作を逐次，操作内容データ７として保存する。
【００７０】
ここで、運転員の手動での入／切操作から平常時系統操作の手順表を作成する場合、系統図上の操作内容の表示ボタンをマウスでクリックすることで手順表を作成するが出来る。以下、この処理の詳細につき説明する。
【００７１】
操作内容記憶処理手段６において入力手段３からの入力操作の通知で業務名が操作，入力装置名がマウス，入力情報が操作内容の表示ボタンと判断した場合，操作内容表示編集処理手段８に操作内容の表示を要求する。
操作内容表示編集処理手段８は前記操作内容記憶処理手段６からの操作内容の表示要求に該当する操作内容（当該業務名の操作内容をすべて）を操作内容データ７から取込み，表示データに編集し，表示手段４を介して，ＣＲＴに操作内容の一覧を表示する。
【００７２】
運転員が、ＣＲＴに表示した操作内容の一覧で手順表とする入力操作をマウスでクリックし、指示する。
操作内容記憶処理手段６において入力手段３からの入力操作の通知で業務名が操作，入力装置名がマウス，入力情報が入力操作ＮＯと判断した場合，操作手順表作成処理手段２２に入力操作の操作手順表への作成を要求する。
操作手順表作成処理手段２２は前記操作内容記憶処理手段６からの入力操作からの操作手順表作成要求に該当する操作内容を操作内容データ７から取込み、一入力操作単位に業務処理手段９の平常時系統操作に通知する。
業務処理手段９の平常時系統操作は通知された一入力操作単位に当該機器の操作手順を手順表に作成する。
【００７３】
（マンマシンインタフェース装置１０１の内部構成例４）
図１８は、マンマシンインタフェース装置１０１の内部構成の一例を表すブロック図である。ここでは、マンマシンインタフェース装置１０１Ｃが操作内容データを記憶するための外部記憶処理手段２３および外部記憶装置２５を有している。外部記憶装置２５は、例えばＭＴ（Ｍａｇｎｅｔｉｃ　Ｔａｐｅ：磁気テープ）、ＭＤ（Ｍｉｎｉ　Ｄｉｓｃ）を用いることができる。なお、図１５と同一の機能部分については同一符号を付して説明を省略する。
例えば、業務処理手段９による業務遂行に不適合が発生した場合，原因究明のために発生以前の入力操作の履歴の情報が重要となる。
【００７４】
ここで、入力操作の履歴を外部記憶装置２５の別媒体に保存する場合、運転員が表示画面上の操作内容の入力操作保存ボタンをマウスでクリックすることで容易に保存が出来る。
【００７５】
操作内容記憶処理手段６において入力手段３からの入力操作の通知で入力装置名がマウス，入力情報が入力操作保存ボタンと判断した場合，外部記憶処理手段２３に外部記憶装置２５への操作内容データ７の保存を要求する。
外部記憶処理手段２３は操作内容データ７から全ての操作内容を取込み，外部記憶装置２５に保存する。
外部記憶装置２５の別媒体の保存された入力操作の操作内容を解析することで不適合の原因究明が容易になる。
【００７６】
（第２の実施形態）
図１９は本発明の第２の実施形態に係わる電力系統監視制御システム１００Ａの機能構成を表すブロック図である。電力系統監視制御システム１００Ａは図１に示した第１の実施の形態に加え、抽出処理手段１２０１、印刷処理手段１２０２を有し、操作データから一日の作業内容を報告するための作業日報データ１２０３を作成し、作業日報１２０４として印刷する機能を実現している。なお、図１９において，図１と同一機能部分については同一符号を付して説明を省略する。
【００７７】
ここで、作業日報は、帳票の一種である。電力系統監視制御システム１００が用いる帳票には作業日報以外のものもあるが、ここでは帳票の一例として作業日報を用いて説明している。
【００７８】
抽出処理手段１２０１は、操作データ記録領域１０５から一日の操作データを抽出して作業日報データ１２０３に編集する手段である。
印刷処理手段１２０２は、作業日報データ１２０３を作業日報として印刷する手段である。
【００７９】
図２０は抽出処理手段１２０１による作業日報データ抽出処理の手順の一例を表すフロー図である。以下、この詳細を説明する。
マンマシンインタフェース装置１０１において運転員が操作登録一覧画面から作業日報抽出対象の操作データを例えば番号を指示することで選択する（ステップＳ１２０１）。この選択に基づき、当該日の作業日報に対象データが反映された作業日報フォーマットを画面に表示する（ステップＳ１２０２）。
表示された作業日報フォーマットは適宜に編集され、編集された作業日報フォーマットが作業日報データとして保存される（ステップＳ１２０３）。
【００８０】
図２１は、印刷処理手段１２０２による作業日報を印刷する手順の一例を表すフロー図である。ステップＳ１２０３で保存された作業日報データ１２０３に基づき、作業日報１２０４の印刷が行われる（ステップＳ１２０４）。
以上、帳票の一例として作業日報を用いて説明しているが、これ以外の帳票においても、上記の処理は同様に実現可能である。
【００８１】
（第３の実施形態）
図２２は本発明の第３の実施形態に係わる電力系統監視制御システム１００Ｂの機能構成を表すブロック図である。電力系統監視制御システム１００Ｂは図１に示した第１の実施の形態に加え、送信処理手段１３０１、受信処理手段１３０２、他の電力系統監視制御システムや電力系統給電システムと接続されるネットワーク１３０３を有し、操作データや編集データの送受信を行う機能を実現している。なお、図２２において，図１と同一機能部分については同一符号を付して説明を省略する。
【００８２】
図２３は電力系統監視制御システム１００Ｂが他システムとの操作データ送受信処理を行う手順を示すフロー図である。
マンマシンインタフェース装置１０１から運転員が操作登録一覧画面から送信対象の操作データとその送信先を選択する（ステップＳ１３０１）。この選択に従い、操作データを指定送信先に送信する（ステップＳ１３０２）。
この逆に、他システムの操作データも図２３に示したのと同様の手順で電力系統監視制御システム１００Ｂに送信され、電力系統監視制御システム１００Ｂはその操作データを受信する。
さらに、電力系統監視制御システム１００Ｂは、他システムから受け取った受信データを編集処理手段１０８で編集したり、実行処理手段１１３で操作手順の実行したりすることができる。
【００８３】
ただし、他システムでの操作は自システム（電力系統監視制御システム１００Ｂ）とは異なる可能性があり、編集処理手段１０８による処理の際には、自システムで実行可能かどうかを判断する。もし自システムで実行可能でないなら破棄するか、または操作手順を自システムの操作データの中から類似のデータを参照し、それに該当する操作を代替して、実行可能な編集データを作成する。
【００８４】
（第４の実施形態）
図２４は本発明の第４の実施形態に係わる電力系統監視制御システム１００Ｃの機能構成を表すブロック図である。電力系統監視制御システム１００Ｃは図１に示した第１の実施の形態に加え、集約処理手段１５０１、気象状況・系統状況データ領域１５０２を有し、集約情報を記録する機能を実現している。なお、図２４において，図１と同一機能部分については同一符号を付して説明を省略する。
【００８５】
気象状況・系統状況データ領域１５０２は、運転員操作による操作データ記録とは別に気象状況や系統状況、作業状況などを格納する記憶領域である。
集約処理手段１５０１は、気象状況・系統状況データ領域１５０２に格納されたデータと、操作データ記録領域１０５から抽出した操作データとを対応させ、それらを再度操作データ記録領域１０５に記録させる手段である。
【００８６】
図２５は、集約処理手段１５０１による処理の一例を表すフロー図である。
現在の気象条件、注意報、作業状況、系統状況などの当該操作データに対応させ、さらに記録処理手段１０４を通じて再度操作データ記録領域に保存する（ステップＳ１５０１）。
【００８７】
（第５の実施形態）
図２６は本発明の第５の実施形態に係わる電力系統監視制御システム１００Ｃの機能構成を表すブロック図である。電力系統監視制御システム１００Ｄは図１に示した第１の実施の形態に加え、一括管理処理手段１６０１、一括管理操作記憶領域１６０２、一括記録処理手段１６０３を有し、複数の編集データ１０９を一括して管理、実行する機能を実現している。なお、図２６において，図１と同一機能部分については同一符号を付して説明を省略する。
【００８８】
一括管理処理手段１６０１は、運転操作データ記憶領域１０５に記憶された運転操作データ１０３を複数選択してこれらを一括して管理できるように、この一括管理データを一括管理操作記録領域１６０２に記録し、この一括管理データを表示処理手段１１２を介してマンマシンインタフェース装置に表示させる手段である。
一括記録処理手段１６０３は、一括管理操作記録領域１６０２に記録された管理データに基づき実行された編集データ１０９の実行結果を一括管理操作記録領域１６０２の管理データに付加して記録させる手段である。
【００８９】
図２７は、一括管理処理手段１６０１による処理手順を表すフロー図である。
運転員が操作登録一覧画面から一括管理対象となる運転操作データ１０３（あるいは編集データ１０９）を選択する（ステップＳ１６０１）。このとき、複数の運転操作データ１０３を選択することができる。
運転操作データ１０３の選択が行われた実施日が特定される（ステップＳ１６０２）。この指定はこの選択操作の対象となった運転操作データ１０３の全体として行われる。なお、この実施日の特定は、所定の起点を基準とする相対的な特定でも足りる。
選択された運転操作データ１０３を識別する情報（例えば、運転操作データ１０３の番号）が実施日の情報および一括管理の対象を識別する一括管理番号と共に一括管理データとして一括管理操作記録領域１６０２に記録、保存する（ステップＳ１６０３）。
【００９０】
図２８は、一括記録処理手段１６０３による処理手順の一例を表すフロー図である。
運転員が一括管理操作記録領域１６０２に記録された一括管理データに基づく一括管理操作登録一覧画面から一括管理番号および実行する運転操作データ１０３の番号を選択する（ステップＳ１６０４）。
選択された運転操作データ１０３が実行される（ステップＳ１６０５）。なお、この実行は実行処理手段１１３により行われる。
選択された運転操作データ１０３が実行された実行結果が一括管理操作記録領域１６０２に記録、保存される（ステップＳ１６０６）。即ち、一括管理データに実行結果が付加され、一括管理操作記録領域１６０２に保存される。
【００９１】
（電力系統監視制御システム１００用のプログラム）
既述のように、プログラムを用いて電子計算機１１４に電力系統１１６を監視、制御する機能を実現できる。
図２９は、プログラムを用いて電子計算機１１４に電力系統１１６を監視、制御する機能を付与する構成を表すブロック図である。
ＣＰＵ１２１と主メモリ１２２と伝送バス１２３とを備えた電子計算機１１４Ａが、記録媒体１２４への書き込みを行う記録媒体書き込み装置１２５と、ＳＣＳＩ等のケーブル１２６等で接続されている。
電子計算機１１４Ａ内の主メモリ１２２上には、本発明を実行可能な処理プログラムが存在している。このようなプログラムを記録媒体書き込み装置１２５により、適宜に記録媒体１２４に記録する。
このようにして記録媒体１２４にプログラムを書き込んでおくと、別の計算機に記録媒体１２４、あるいは、記録媒体１２４から書き込まれた別の記録媒体を用いて処理プログラムを実行させることができる。
【００９２】
【発明の効果】
以上説明したように，本発明によれば，電力系統の大規模化および系統運用の高度化，複雑化に伴い，マンマシンインタフェース装置での入力操作による運転員の負担の軽減および入力作業の効率向上を図ることが出来る。
【図面の簡単な説明】
【図１】本発明の第１実施形態に係る電力系統監視制御システムの機能構成を表すブロック図である。
【図２】運転操作データのデータ構造の一例を表す図である。
【図３】記憶処理手段による処理手順の一例を表すフロー図である。
【図４】参照処理手段による処理手順の一例を表すフロー図である。
【図５】編集処理手段、編集データ記憶処理手段、表示処理手段による処理手順の一例を表すフロー図である。
【図６】実行処理手段による処理手順の一例を表すフロー図である。
【図７】運転操作の入力の手順の一例を表すフロー図である。
【図８】編集操作の詳細な手順の一例を表したフロー図である。
【図９】計算機で作成された編集データを他の計算機で利用する場合の手順の一例を表すフロー図である。
【図１０】他の計算機で作成された編集データを計算機で利用する場合の手順の一例を表すフロー図である。
【図１１】実行処理手段による運転操作補助モードの実行手順の一例を表すフロー図である。
【図１２】行うべき操作内容を決定する詳細な手順の一例を表すフロー図である。
【図１３】編集データの実行を中断および再開する手順を表すフロー図である。
【図１４】マンマシンインタフェース装置の内部構成の一例を表すブロック図である。
【図１５】操作内容データの具体例を示す図である。
【図１６】マンマシンインタフェース装置の内部構成の一例を表すブロック図である。
【図１７】マンマシンインタフェース装置の内部構成の一例を表すブロック図である。
【図１８】マンマシンインタフェース装置の内部構成の一例を表すブロック図である。
【図１９】本発明の第２の実施形態に係わる電力系統監視制御システムの機能構成を表すブロック図である。
【図２０】抽出処理手段による作業日報データ抽出処理の手順の一例を表すフロー図である。
【図２１】、印刷処理手段による作業日報を印刷する手順の一例を表すフロー図である。
【図２２】本発明の第３の実施形態に係わる電力系統監視制御システムの機能構成を表すブロック図である。
【図２３】図２２に示した電力系統監視制御システムが他システムとの操作データ送受信処理を行う手順を示すフロー図である。
【図２４】本発明の第４の実施形態に係わる電力系統監視制御システムの機能構成を表すブロック図である。
【図２５】集約処理手段による処理手順の一例を表すフロー図である。
【図２６】本発明の第５の実施形態に係わる電力系統監視制御システムの機能構成を表すブロック図である。
【図２７】一括管理処理手段による処理手順の一例を表すフロー図である。
【図２８】一括記録処理手段による処理手順の一例を表すフロー図である。
【図２９】プログラムを用いて電子計算機に電力系統を監視、制御する機能を付与する構成を表すブロック図である。
【図３０】従来のる電力系統監視制御システムの機能構成を表すブロック図である。
【符号の説明】
１００，１００Ａ〜１００Ｄ…電力系統監視制御システム、１０１，１０１Ａ〜１０１Ｃ…マンマシンインタフェース装置、１０２…入力装置、１０３…運転操作データ、１０４…記憶処理手段、１０５…運転操作データ記憶領域、１０６…参照処理手段、１０７…参照データ、１０８…編集処理手段、１０９…編集データ、１１０…編集データ記憶処理手段、１１０…編集データ記憶処理手段、１１１…編集データ記憶領域、１１２…表示処理手段、１１３…実行処理手段、１１４，１１４Ａ…電子計算機、１１５…伝送装置、１１６…電力系統、１１７…伝送装置、１１８…電子計算機、１２２…主メモリ、１２３…伝送バス、１２４…記録媒体、１２５…記録媒体書き込み装置、１２６…ケーブル、１２０１…抽出処理手段、１２０２…印刷処理手段、１２０３…作業日報データ、１２０４…作業日報、１３０１…送信処理手段、１３０２…受信処理手段、１３０３…ネットワーク、１５０１…集約処理手段、１５０２…気象状況・系統状況データ領域、１６０１…一括管理処理手段、１６０２…一括管理操作記憶領域、１６０３…一括記録処理手段、１…入力装置、２…出力装置、３…入力手段、４…表示手段、５…表示編集処理手段、６…操作内容記憶処理手段、７…操作内容データ、８…操作内容表示編集処理手段、９…業務処理手段、２０…実行処理手段、２１…再実行処理抽出手段、２２…操作手順表作成処理手段、２３…外部記憶処理手段、２５…外部記憶装置
【図１】
2004080889.tif 000003
【図２】
2004080889.tif 000004
【図３】
2004080889.tif 000005
【図４】
2004080889.tif 000006
【図５】
2004080889.tif 000007
【図６】
2004080889.tif 000008
【図７】
2004080889.tif 000009
【図８】
2004080889.tif 000010
【図９】
2004080889.tif 000011
【図１０】
2004080889.tif 000012
【図１１】
2004080889.tif 000013
【図１２】
2004080889.tif 000014
【図１３】
2004080889.tif 000015
【図１４】
2004080889.tif 000016
【図１５】
2004080889.tif 000017
【図１６】
2004080889.tif 000018
【図１７】
2004080889.tif 000019
【図１８】
2004080889.tif 000020
【図１９】
2004080889.tif 000021
【図２０】
2004080889.tif 000022
【図２１】
2004080889.tif 000023
【図２２】
2004080889.tif 000024
【図２３】
2004080889.tif 000025
【図２４】
2004080889.tif 000026
【図２５】
2004080889.tif 000027
【図２６】
2004080889.tif 000028
【図２７】
2004080889.tif 000029
【図２８】
2004080889.tif 000030
【図２９】
2004080889.tif 000031
【図３０】
2004080889.tif 000032